(57)【要約】【課題】  投写画像の位置を容易に変更可能とするプロジェクタ及びその制御方法を提供する。【解決手段】  画像処理部７５が、領域変更部７０ａからの制御信号に基づいて、電子ズーム、アスペクト比変更、台形歪補正等、形成領域のサイズや形状を変更する動作を行った結果、形成領域が画素領域内を移動可能な状態になると、制御部７０は、ＯＳＤ処理部７６に指示をして画像シフトを実行するためのＯＳＤ画像を表示し、形成領域、即ち表示画像が移動可能である旨を通知してユーザに移動方向の入力を促す。その後、ユーザが操作部７２によって移動方向の指示を行うと、制御部７０は、その指示を表す制御信号を領域移動部７０ｂから画像処理部７５に出力し、画像処理部７５は、指示された方向に形成領域を移動させる。【選択図】  図１
2006246306.tif 000002
【特許請求の範囲】
【請求項１】
画像信号を入力し、前記画像信号に応じた光学像を投写して、投写面に画像を表示するプロジェクタであって、
光を変調可能な変調可能領域を有し、光源から射出された光を前記変調可能領域で変調して光学像を形成する光変調装置と、
前記光変調装置で形成された光学像を拡大投写する投写レンズと、
前記変調可能領域内で前記画像信号に応じた光学像を形成するための形成領域のサイズ又は形状を変更可能な形成領域変更手段と、
前記画像信号に応じた光学像の投写位置を表す位置情報を入力可能な操作部と、
前記形成領域変更手段によってサイズ又は形状が変更された前記形成領域が前記変調可能領域内を移動可能な場合に、前記操作部から入力した前記位置情報に基づいて前記形成領域を移動させる形成領域移動手段と、
を備えることを特徴とするプロジェクタ。
【請求項２】
請求項１に記載のプロジェクタであって、前記形成領域変更手段で前記形成領域のサイズ又は形状を変更することによって、前記形成領域が前記変調可能領域内を移動可能となった場合に、前記画像信号に応じた光学像の投写位置が変更可能である旨を通知する通知手段を備えることを特徴とするプロジェクタ。
【請求項３】
請求項２に記載のプロジェクタであって、前記通知手段は、投写画像に通知内容を合成して表示することを特徴とするプロジェクタ。
【請求項４】
画像信号を入力し、前記画像信号に応じた光学像を投写して、投写面に画像を表示するプロジェクタであって、
光を変調可能な変調可能領域を有し、光源から射出された光を前記変調可能領域で変調して光学像を形成する光変調装置と、
前記光変調装置で形成された光学像を拡大投写する投写レンズと、
前記変調可能領域内で前記画像信号に応じた光学像を形成するための形成領域のサイズ又は形状を変更可能な形成領域変更手段と、
前記画像信号に応じた光学像の投写位置を表す位置情報を入力可能な操作部と、
前記形成領域変更手段によってサイズ又は形状が変更された前記形成領域が前記変調可能領域内を移動可能な場合に、前記画像信号に応じた光学像の投写位置が変更可能である旨を通知するとともに前記位置情報の入力を促す通知手段と、
前記操作部によって入力された前記位置情報に基づいて、前記形成領域を移動させる形成領域移動手段と、
を備えることを特徴とするプロジェクタ。
【請求項５】
請求項４に記載のプロジェクタであって、前記通知手段は、投写画像に通知内容を合成して表示することを特徴とするプロジェクタ。
【請求項６】
請求項４又は５に記載のプロジェクタであって、前記形成領域変更手段によってサイズ又は形状が変更された前記形成領域が前記変調可能領域内を移動可能な場合に、前記画像信号に応じた光学像が移動可能な位置又は方向を通知する案内手段を有することを特徴とするプロジェクタ。
【請求項７】
請求項６に記載のプロジェクタであって、前記案内手段は、投写画像に通知内容を合成して表示することを特徴とするプロジェクタ。
【請求項８】
画像信号を入力し、前記画像信号に応じた光学像を投写して、投写面に画像を表示するプロジェクタであって、
光を変調可能な変調可能領域を有し、光源から射出された光を前記変調可能領域で変調して光学像を形成する光変調装置と、
前記光変調装置で形成された光学像を拡大投写する投写レンズと、
前記画像信号に応じた光学像のサイズ又は形状を表すサイズ情報、及び当該光学像の投写位置を表す位置情報を入力可能な操作部と、
前記操作部によって入力された前記サイズ情報に応じて、前記変調可能領域内で前記画像信号に応じた光学像を形成する形成領域のサイズ又は形状を変更するための形成領域変更手段と、
前記形成領域変更手段によってサイズ又は形状が変更された前記形成領域が前記変調可能領域内を移動可能な場合に、前記画像信号に応じた光学像の投写位置が変更可能である旨を通知するとともに前記位置情報の入力を促す通知手段と、
前記操作部によって入力された前記位置情報に基づいて、前記形成領域を移動させる形成領域移動手段と、
を備えることを特徴とするプロジェクタ。
【請求項９】
光を変調可能な変調可能領域を有し、光源から射出された光を前記変調可能領域で変調して光学像を形成する光変調装置と、前記光変調装置で形成された光学像を拡大投写する投写レンズとを備え、入力した画像信号に応じた光学像を投写して、投写面に画像を表示するプロジェクタの制御方法であって、
前記変調可能領域内で前記画像信号に応じた光学像を形成するための形成領域のサイズ又は形状を変更する形成領域変更工程と、
前記画像信号に応じた光学像の投写位置を表す位置情報を入力する位置情報入力工程と、
前記形成領域変更工程にてサイズ又は形状が変更された前記形成領域が前記変調可能領域内を移動可能な場合に、前記位置情報入力工程にて入力した前記位置情報に基づいて前記形成領域を移動させる形成領域移動工程と、
を備えることを特徴とするプロジェクタの制御方法。
【請求項１０】
光を変調可能な変調可能領域を有し、光源から射出された光を前記変調可能領域で変調して光学像を形成する光変調装置と、前記光変調装置で形成された光学像を拡大投写する投写レンズとを備え、入力した画像信号に応じた光学像を投写して、投写面に画像を表示するプロジェクタの制御方法であって、
前記変調可能領域内で前記画像信号に応じた光学像を形成するための形成領域のサイズ又は形状を変更する形成領域変更工程と、
前記形成領域変更工程にてサイズ又は形状が変更された前記形成領域が前記変調可能領域内を移動可能な場合に、前記画像信号に応じた光学像の投写位置が変更可能である旨を通知するとともに、前記投写位置を表す位置情報の入力を促す通知工程と、
前記位置情報を入力する位置情報入力工程と、
前記位置情報入力工程にて入力された前記位置情報に基づいて、前記形成領域を移動させる形成領域移動工程と、
を備えることを特徴とするプロジェクタの制御方法。
【請求項１１】
光を変調可能な変調可能領域を有し、光源から射出された光を前記変調可能領域で変調して光学像を形成する光変調装置と、前記光変調装置で形成された光学像を拡大投写する投写レンズとを備え、入力した画像信号に応じた光学像を投写して、投写面に画像を表示するプロジェクタの制御方法であって、
前記画像信号に応じた光学像のサイズ又は形状を表すサイズ情報を入力するサイズ情報入力工程と、
前記サイズ情報入力工程にて入力された前記サイズ情報に応じて、前記変調可能領域内で前記画像信号に応じた光学像を形成するための形成領域のサイズ又は形状を変更する形成領域変更工程と、
前記形成領域変更工程にてサイズ又は形状が変更された前記形成領域が前記変調可能領域内を移動可能な場合に、前記画像信号に応じた光学像の投写位置が変更可能である旨を通知するとともに、前記投写位置を表す位置情報の入力を促す通知工程と、
前記位置情報を入力する位置情報入力工程と、
前記位置情報入力工程にて入力された前記位置情報に基づいて、前記形成領域を移動させる形成領域移動工程と、
を備えることを特徴とするプロジェクタの制御方法。
【発明の詳細な説明】
【技術分野】
【０００１】
本発明は、画像信号を入力し、前記画像信号に応じた光学像を投写するプロジェクタ及びその制御方法に関する。
【背景技術】
【０００２】
光源から射出された光を、光変調装置により画像信号に応じて変調して光学像を形成し、この光学像を投写レンズにてスクリーン上に拡大投写するプロジェクタが知られている（例えば、特許文献１参照）。
特許文献１に記載のプロジェクタは、ユーザの操作によるズーム指定等に基づいて、投写される画像のサイズを電子ズーム機能（レンズではなく電子回路を利用して画面のサイズ調整を行うもの）を用いて調整可能になっている。
電子ズーム機能は、入力した画像信号に所定の処理を施し、光変調装置における光学像を形成可能な領域（変調可能領域）内で、画像信号に応じた光学像を形成する領域（形成領域）のサイズを変更して、スクリーン上に投写される投写画像のサイズを変更可能とするものであり、光変調装置における変調可能領域の所定の位置（例えば、中心位置）を基準として、形成領域を拡大又は縮小するようになっている。
【０００３】
【特許文献１】特開２００２−３６５７２０号公報
【発明の開示】
【発明が解決しようとする課題】
【０００４】
特許文献１に記載のプロジェクタでは、光変調装置における変調可能領域の中心位置を基準にして形成領域が拡大又は縮小するようになっている。このため、投写画像の中心位置とスクリーンの中心位置とが略合致するようにプロジェクタを設置した状態で、電子ズーム機能により形成領域を拡大又は縮小すると、投写画像は、スクリーンの中心位置を基準にして拡大又は縮小される。
しかしながら、一旦、投写画像の中心位置がスクリーンの中心位置に対してずれてしまうと、電子ズーム機能により投写画像を拡大した際に、本来ならスクリーンに投写可能な画像サイズであっても、画像の一部がスクリーンから外れてしまうことになり、拡大可能な画像サイズが制限されてしまう。このため、再度、中心位置同士を合わせるために、プロジェクタの設置状態を調整し直さなければならいという問題が生じてしまう。
【０００５】
本発明は上記問題を鑑みてなされたものであり、その目的は、投写画像の位置を容易に変更可能とするプロジェクタ及びその制御方法を提供することにある。
【課題を解決するための手段】
【０００６】
本発明のプロジェクタは、画像信号を入力し、前記画像信号に応じた光学像を投写して、投写面に画像を表示するプロジェクタであって、光を変調可能な変調可能領域を有し、光源から射出された光を前記変調可能領域で変調して光学像を形成する光変調装置と、前記光変調装置で形成された光学像を拡大投写する投写レンズと、前記変調可能領域内で前記画像信号に応じた光学像を形成するための形成領域のサイズ又は形状を変更可能な形成領域変更手段と、前記画像信号に応じた光学像の投写位置を表す位置情報を入力可能な操作部と、前記形成領域変更手段によってサイズ又は形状が変更された前記形成領域が前記変調可能領域内を移動可能な場合に、前記操作部から入力した前記位置情報に基づいて前記形成領域を移動させる形成領域移動手段とを備えることを特徴とする。
【０００７】
このプロジェクタによれば、形成領域変更手段によってサイズ又は形状が変更された形成領域が、変調可能領域内を移動可能な場合に、操作部から入力した位置情報に基づいて、形成領域を移動させる形成領域移動手段を備えているため、操作部の操作によって光学像の投写位置を変更させることが可能となる。この結果、投写画像の位置を容易に変更することが可能となる。
【０００８】
このプロジェクタにおいて、前記形成領域変更手段で前記形成領域のサイズ又は形状を変更することによって、前記形成領域が前記変調可能領域内を移動可能となった場合に、前記画像信号に応じた光学像の投写位置が変更可能である旨を通知する通知手段を備えることが望ましい。
【０００９】
このプロジェクタによれば、形成領域が変調可能領域内を移動可能となった場合に、その旨を通知する通知手段を備えているため、投写画像が移動可能であることを容易に認識することが可能となる。
【００１０】
このプロジェクタにおいて、前記通知手段は、投写画像に通知内容を合成して表示することが望ましい。
【００１１】
このプロジェクタによれば、投写画像に通知内容を合成して表示するため、投写画像から目を離すことなく通知内容を認識することが可能となる。
【００１２】
本発明のプロジェクタは、画像信号を入力し、前記画像信号に応じた光学像を投写して、投写面に画像を表示するプロジェクタであって、光を変調可能な変調可能領域を有し、光源から射出された光を前記変調可能領域で変調して光学像を形成する光変調装置と、前記光変調装置で形成された光学像を拡大投写する投写レンズと、前記変調可能領域内で前記画像信号に応じた光学像を形成するための形成領域のサイズ又は形状を変更可能な形成領域変更手段と、前記画像信号に応じた光学像の投写位置を表す位置情報を入力可能な操作部と、前記形成領域変更手段によってサイズ又は形状が変更された前記形成領域が前記変調可能領域内を移動可能な場合に、前記画像信号に応じた光学像の投写位置が変更可能である旨を通知するとともに前記位置情報の入力を促す通知手段と、前記操作部によって入力された前記位置情報に基づいて、前記形成領域を移動させる形成領域移動手段とを備えることを特徴とする。
【００１３】
このプロジェクタによれば、形成領域変更手段が形成領域のサイズ又は形状を変更した結果、形成領域が変調可能領域内を移動可能である場合に、形成領域移動手段による形成領域の移動を行うために、通知手段によって位置情報の入力を促す通知を行っている。このため、形成領域のサイズ又は形状の変更と、形成領域の移動とを連続して行うことが可能となり、投写画像の位置を変更する際の利便性が向上する。
【００１４】
このプロジェクタにおいて、前記通知手段は、投写画像に通知内容を合成して表示することが望ましい。
【００１５】
このプロジェクタによれば、投写画像に通知内容を合成して表示するため、投写画像から目を離すことなく通知内容を認識することが可能となる。
【００１６】
このプロジェクタにおいて、前記形成領域変更手段によってサイズ又は形状が変更された前記形成領域が前記変調可能領域内を移動可能な場合に、前記画像信号に応じた光学像が移動可能な位置又は方向を通知する案内手段を有することが望ましい。
【００１７】
このプロジェクタによれば、形成領域を移動可能な位置又は方向を通知する案内手段を有しているため、移動可能な位置や方向を認識することが容易になり、投写画像の位置を変更する際の利便性がさらに向上する。
【００１８】
このプロジェクタにおいて、前記案内手段は、投写画像に通知内容を合成して表示することが望ましい。
【００１９】
このプロジェクタによれば、投写画像に通知内容を合成して表示するため、投写画像から目を離すことなく通知内容を認識することが可能となる。
【００２０】
本発明のプロジェクタは、画像信号を入力し、前記画像信号に応じた光学像を投写して、投写面に画像を表示するプロジェクタであって、光を変調可能な変調可能領域を有し、光源から射出された光を前記変調可能領域で変調して光学像を形成する光変調装置と、前記光変調装置で形成された光学像を拡大投写する投写レンズと、前記画像信号に応じた光学像のサイズ又は形状を表すサイズ情報、及び当該光学像の投写位置を表す位置情報を入力可能な操作部と、前記操作部によって入力された前記サイズ情報に応じて、前記変調可能領域内で前記画像信号に応じた光学像を形成するための形成領域のサイズ又は形状を変更する形成領域変更手段と、前記形成領域変更手段によってサイズ又は形状が変更された前記形成領域が前記変調可能領域内を移動可能な場合に、前記画像信号に応じた光学像の投写位置が変更可能である旨を通知して前記位置情報の入力を促す通知手段と、前記操作部によって入力された前記位置情報に基づいて、前記形成領域を移動させる形成領域移動手段とを備えることを特徴とする。
【００２１】
このプロジェクタによれば、操作部から入力されたサイズ情報に基づいて形成領域変更手段が形成領域のサイズ又は形状を変更した結果、形成領域が変調可能領域内を移動可能である場合に、形成領域移動手段による形成領域の移動を行うために、通知手段によって位置情報の入力を促す通知を行っている。このため、投写画像の位置の変更を、投写画像のサイズ・形状変更と連続して行うことが可能となり、投写画像の位置を変更する際の利便性が向上する。
【００２２】
本発明のプロジェクタの制御方法は、光を変調可能な変調可能領域を有し、光源から射出された光を前記変調可能領域で変調して光学像を形成する光変調装置と、前記光変調装置で形成された光学像を拡大投写する投写レンズとを備え、入力した画像信号に応じた光学像を投写して、投写面に画像を表示するプロジェクタの制御方法であって、前記変調可能領域内で前記画像信号に応じた光学像を形成するための形成領域のサイズ又は形状を変更する形成領域変更工程と、前記画像信号に応じた光学像の投写位置を表す位置情報を入力する位置情報入力工程と、前記形成領域変更工程にてサイズ又は形状が変更された前記形成領域が前記変調可能領域内を移動可能な場合に、前記位置情報入力工程にて入力した前記位置情報に基づいて前記形成領域を移動させる形成領域移動工程とを備えることを特徴とする。
【００２３】
このプロジェクタの制御方法によれば、形成領域変更工程にてサイズ又は形状が変更された形成領域が、変調可能領域内を移動可能な場合に、位置情報入力工程にて入力した位置情報に基づいて、形成領域を移動させる形成領域移動工程を備えているため、位置情報の入力操作によって光学像の投写位置を変更させることが可能となる。この結果、投写画像の位置を容易に変更することが可能となる。
【００２４】
本発明のプロジェクタの制御方法は、光を変調可能な変調可能領域を有し、光源から射出された光を前記変調可能領域で変調して光学像を形成する光変調装置と、前記光変調装置で形成された光学像を拡大投写する投写レンズとを備え、入力した画像信号に応じた光学像を投写して、投写面に画像を表示するプロジェクタの制御方法であって、前記変調可能領域内で前記画像信号に応じた光学像を形成するための形成領域のサイズ又は形状を変更する形成領域変更工程と、前記形成領域変更工程にてサイズ又は形状が変更された前記形成領域が前記変調可能領域内を移動可能な場合に、前記画像信号に応じた光学像の投写位置が変更可能である旨を通知するとともに、前記投写位置を表す位置情報の入力を促す通知工程と、前記位置情報を入力する位置情報入力工程と、前記位置情報入力工程にて入力された前記位置情報に基づいて、前記形成領域を移動させる形成領域移動工程とを備えることを特徴とする。
【００２５】
このプロジェクタの制御方法によれば、形成領域変更工程にて形成領域のサイズ又は形状を変更した結果、形成領域が変調可能領域内を移動可能である場合に、形成領域移動工程での形成領域の移動を行うために、位置情報の入力を促す通知を行っている。このため、形成領域のサイズ又は形状の変更と、形成領域の移動とを連続して行うことが可能となり、投写画像の位置を変更する際の利便性が向上する。
【００２６】
本発明のプロジェクタの制御方法は、光を変調可能な変調可能領域を有し、光源から射出された光を前記変調可能領域で変調して光学像を形成する光変調装置と、前記光変調装置で形成された光学像を拡大投写する投写レンズとを備え、入力した画像信号に応じた光学像を投写して、投写面に画像を表示するプロジェクタの制御方法であって、前記画像信号に応じた光学像のサイズ又は形状を表すサイズ情報を入力するサイズ情報入力工程と、前記サイズ情報入力工程にて入力された前記サイズ情報に応じて、前記変調可能領域内で前記画像信号に応じた光学像を形成するための形成領域のサイズ又は形状を変更する形成領域変更工程と、前記形成領域変更工程にてサイズ又は形状が変更された前記形成領域が前記変調可能領域内を移動可能な場合に、前記画像信号に応じた光学像の投写位置が変更可能である旨を通知するとともに、前記投写位置を表す位置情報の入力を促す通知工程と、前記位置情報を入力する位置情報入力工程と、前記位置情報入力工程にて入力された前記位置情報に基づいて、前記形成領域を移動させる形成領域移動工程とを備えることを特徴とする。
【００２７】
このプロジェクタの制御方法によれば、入力されたサイズ情報に基づいて、形成領域のサイズ又は形状を変更した結果、形成領域が変調可能領域内を移動可能である場合に、形成領域移動工程での形成領域の移動を行うために、位置情報の入力を促す通知を行っている。このため、投写画像の位置の変更を、投写画像のサイズ・形状変更と連続して行うことが可能となり、投写画像の位置を変更する際の利便性が向上する。
【００２８】
また、上述したプロジェクタ及びその制御方法がプロジェクタに備えられたコンピュータ（ＣＰＵ）を用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２９】
以下、本発明の実施形態に係るプロジェクタについて、図面を参照して説明する。
図１は、本実施形態に係るプロジェクタの概略構成を示すブロック図である。
本実施形態のプロジェクタ１は、光源から射出される光を、外部から入力される画像信号に応じて変調して光学像を形成し、形成した光学像をスクリーン上に拡大投写するものであり、図１に示すように、光学装置２と制御装置３とで構成されている。
【００３０】
図２は、光学装置２の詳細を説明するための構成図であり、光源から射出された光が、スクリーンに至るまでの光路を示している。
図２に示すように、光学装置２は、照明光学系１０と、色光分離光学系２０と、リレー光学系３０と、光変調装置としての３つの液晶ライトバルブ４０Ｒ，４０Ｇ，４０Ｂと、クロスダイクロイックプリズム５０と、投写レンズ６０とを備えている。
【００３１】
照明光学系１０は、光源１１と、第１のレンズアレイ１２と、第２のレンズアレイ１３と、偏光変換素子１４と、重畳レンズ１５とを備えており、光源１１から射出された光線束は、微小なレンズ１２ａがマトリクス状に配置された第１のレンズアレイ１２によって多数の微小な光線束に分割される。第２のレンズアレイ１３及び重畳レンズ１５は、分割された光線束のそれぞれが、照明対象である３つの液晶ライトバルブ４０Ｒ，４０Ｇ，４０Ｂの全体を照射するように備えられている。このため、各光線束が液晶ライトバルブ４０Ｒ，４０Ｇ，４０Ｂで重畳され、液晶ライトバルブ４０Ｒ，４０Ｇ，４０Ｂの全体がほぼ均一に照明される。
【００３２】
偏光変換素子１４は、光源１１からの非偏光な光を液晶ライトバルブ４０Ｒ，４０Ｇ，４０Ｂで効率よく利用可能とするため、特定の偏光方向を有する偏光光に揃える機能を有している。照明光学系１０を射出した偏光光は、色光分離光学系２０に入射する。
【００３３】
色光分離光学系２０は、照明光学系１０から射出された光を、波長域の異なる３色の光に分離する。第１のダイクロイックミラー２１は、略赤色の光を透過させるとともに、透過する光よりも短波長の光を反射する。第１のダイクロイックミラー２１を透過した赤色光Ｒは、反射ミラー２２で反射されて赤色光用の液晶ライトバルブ４０Ｒを照明する。
【００３４】
第１のダイクロイックミラー２１で反射された光のうち、緑色光Ｇは、第２のダイクロイックミラー２３によって反射されて緑色光用の液晶ライトバルブ４０Ｇを照明する。また、青色光Ｂは、第２のダイクロイックミラー２３を透過し、リレー光学系３０を通過して、青色光用の液晶ライトバルブ４０Ｂを照明する。
【００３５】
なお、青色光Ｂの経路は、他の色光の経路に比べて長くなってしまうことから、光線束の発散によって液晶ライトバルブ４０Ｂへの照明効率が低下するのを抑制するために、青色光Ｂの経路には、リレー光学系３０が設けられている。
【００３６】
リレー光学系３０は、入射側レンズ３１と、第１の反射ミラー３２と、リレーレンズ３３と、第２の反射ミラー３４と、射出側レンズ３５とを備えている。色光分離光学系２０から射出した青色光Ｂは、入射側レンズ３１によってリレーレンズ３３の近傍で収束し、射出側レンズ３５に向けて発散する。
【００３７】
液晶ライトバルブ４０Ｒ，４０Ｇ，４０Ｂのそれぞれは、液晶パネル４１と、入射側偏光板４２と、射出側偏光板４３とを備えており、入射した光を変調して画像（光学像）を形成する。
図３は、本実施形態の液晶ライトバルブ４０Ｒ，４０Ｇ，４０Ｂの平面図である。
図３に示すように、液晶ライトバルブ４０Ｒ，４０Ｇ，４０Ｂは、一対の透明基板間に液晶が封入された液晶パネル４１を備えており、各透明基板の内面には、液晶に対して微小領域（画素４１Ｐ）毎に駆動電圧を印加可能な透明電極（画素電極）が所定の領域（変調可能領域としての画素領域４１Ａ）内にマトリクス状に形成されている。なお、本実施形態の液晶ライトバルブ４０Ｒ，４０Ｇ，４０Ｂは、画素領域４１Ａのアスペクト比（Ａｘ：Ａｙ）が４：３になっている。
【００３８】
図２に戻って、液晶パネル４１の入射側表面及び射出側表面には、それぞれ入射側偏光板４２及び射出側偏光板４３が貼り付けられている。入射側偏光板４２及び射出側偏光板４３は、それぞれ特定の偏光方向の偏光光のみを透過可能であり、入射側偏光板４２は、偏光変換素子１４によって揃えられた偏光方向の偏光光を透過可能となっている。このため、各液晶ライトバルブ４０Ｒ，４０Ｇ，４０Ｂに入射する各色光の大部分は入射側偏光板４２を透過して、液晶パネル４１に入射する。
【００３９】
ここで、液晶パネル４１の各画素４１Ｐに、画像信号に応じた駆動電圧が印加されると、液晶パネル４１の画素領域４１Ａに入射した光は、駆動電圧に応じて変調され、画素４１Ｐ毎に異なる偏光方向を有した偏光光となる。この偏光光のうち、射出側偏光板４３を透過可能な偏光成分のみが液晶ライトバルブ４０Ｒ，４０Ｇ，４０Ｂから射出される。つまり、液晶ライトバルブ４０Ｒ，４０Ｇ，４０Ｂが、画像信号に応じて、画素４１Ｐ毎に異なる透過率で入射光を透過させることによって、階調を有する光学像が色光毎に形成される。液晶ライトバルブ４０Ｒ，４０Ｇ，４０Ｂから射出した各色光からなる光学像は、クロスダイクロイックプリズム５０に入射する。
【００４０】
クロスダイクロイックプリズム５０は、各液晶ライトバルブ４０Ｒ，４０Ｇ，４０Ｂから射出された各色の光学像を、画素４１Ｐ毎に合成してカラー画像を表す光学像を形成する。クロスダイクロイックプリズム５０によって合成された光学像は、投写レンズ６０によって拡大投写されて、スクリーンＳＣ等に投写画像が表示される。
【００４１】
一方、図１に示すように、制御装置３は、制御部７０と、記憶部７１と、操作部７２と、レシーバ７３と、画質調整部７４と、画像処理部７５と、ＯＳＤ（オンスクリーンディスプレイ）処理部７６と、ライトバルブ駆動部７７とを備えている。
【００４２】
制御部７０は、前記各部７１，７２，７４〜７６に接続されている。制御部７０は、コンピュータとしてのＣＰＵ（Central Processing Unit）等により構成されており、記憶部７１に記憶されている制御プログラムに従って、プロジェクタ１の動作を統括制御する。なお、制御部７０には、画像処理部７５に制御信号を出力して処理内容を指示可能な領域変更部７０ａ及び領域移動部７０ｂが備えられている。
【００４３】
記憶部７１は、フラッシュＲＯＭ（Read Only Memory）等のメモリによって構成され、前記制御プログラムを記憶するとともに、各種設定値等の記憶に用いられる。
【００４４】
操作部７２には、電源のオン・オフや画質の調整等、プロジェクタ１に対して各種操作を行うためのスイッチやキー等が備えられており、ユーザが操作部７２を操作すると、操作部７２は、操作内容に応じた操作信号を制御部７０に出力する。
【００４５】
レシーバ７３は、外部の画像供給装置（図示せず）からアナログ又はデジタルの画像信号を入力し、各色（Ｒ，Ｇ，Ｂ）毎の階調を表す画像データに変換して画質調整部７４に供給する。
【００４６】
画質調整部７４は、制御部７０からの指示に基づいて、入力した画像データに対して輝度、コントラスト、シャープネス、色合いの調整等を行い、画像処理部７５に出力する。
【００４７】
画像処理部７５は、制御部７０からの指示、即ち領域変更部７０ａ及び領域移動部７０ｂからの制御信号に基づいて、入力した画像データを変換し、液晶ライトバルブ４０Ｒ，４０Ｇ，４０Ｂの各画素４１Ｐに対応する階調値を導出することにより、全画素４１Ｐの階調値からなる画像データを生成する。
【００４８】
ここで、領域変更部７０ａが出力する制御信号には、電子ズーム機能の拡縮率（ズーム倍率）を表す電子ズーム情報、投写画像のアスペクト比を表すアスペクト比情報、投写画像の台形歪を補正するための台形歪補正情報等からなるサイズ情報が含まれており、領域移動部７０ｂが出力する制御信号には、光学像を投写する位置を表す位置情報が含まれている。
【００４９】
画像処理部７５は、前記サイズ情報に基づいて、液晶ライトバルブ４０Ｒ，４０Ｇ，４０Ｂの画素領域４１Ａ内に、画像データに応じた画像を形成する領域（形成領域）のサイズや形状を変更することにより、電子ズーム機能、アスペクト比変更機能、台形歪補正機能を実現するとともに、前記位置情報に基づいて、前記形成領域の位置を画素領域４１Ａ内で移動させることにより、投写画像の位置を変更することが可能になっている。このため、領域変更部７０ａと画像処理部７５とが、本発明の形成領域変更手段として機能し、領域移動部７０ｂと画像処理部７５とが、本発明の形成領域移動手段として機能する。
【００５０】
図４（ａ）〜（ｅ）及び図５（ａ）〜（ｉ）は、画像処理部７５での処理を説明するための説明図である。ここで、図４は、サイズ情報に応じた処理を説明する説明図、図５は、位置情報に応じた処理を説明する説明図であり、いずれも図も、光源光の入射側正面から見た液晶ライトバルブ４０Ｒ，４０Ｇ，４０Ｂを示している。
例えば、領域変更部７０ａからのサイズ情報が、電子ズームの拡縮率が最大値（１００％）、アスペクト比が４：３、台形歪補正はなし、であることを示す場合には、画像処理部７５は、画素領域４１Ａ全体を形成領域４１Ｅとする（図４（ａ）参照）。
また、電子ズームの拡縮率が最大値未満の場合には、拡縮率（Ｅｘ／Ａｘ）に応じた大きさの領域を形成領域４１Ｅとし（図４（ｂ）参照）、アスペクト比が１６：９の場合には、アスペクト比（Ａｘ：Ｅｙ）が１６：９となる領域を形成領域４１Ｅとする（図４（ｃ）参照）。また、アスペクト比が４：３で台形歪補正を行う場合には、投写画像がアスペクト比４：３の矩形となるような台形形状の領域を形成領域４１Ｅをとする（図４（ｄ）参照）。なお、図４（ｅ）は、電子ズームの拡縮率が最大値未満、アスペクト比が１６：９で、台形歪補正を実施する場合の形成領域４１Ｅを示している。
【００５１】
また、領域移動部７０ｂからの位置情報は、画素領域４１Ａにおける形成領域４１Ｅの位置を表すものであり、本実施形態では、図５（ａ）〜（ｉ）に示すように、形成領域４１Ｅの位置として、画素領域４１ＡのＸ方向に３ヶ所、Ｙ方向に３ヶ所の合計９（３×３）ヶ所のうちのいずれか１ヶ所を指定可能になっている。ここで、図５（ｅ）は、形成領域４１Ｅが画素領域４１Ａの中央に位置する状態を表している。図５（ａ）、（ｃ）、（ｇ）、（ｉ）は、形成領域４１Ｅが画素領域４１Ａの各角部に位置する状態であり、台形歪補正を行わない場合には、形成領域４１Ｅの角部は、画素領域４１Ａの角部に一致する。図５（ｂ）、（ｄ）、（ｆ）、（ｈ）は、形成領域４１Ｅが画素領域４１Ａの各辺に接するように位置する状態であり、台形歪補正を行わない場合には、形成領域４１Ｅの一辺の中点が画素領域４１Ａの一辺の中点に一致する。
【００５２】
上述したように、画像処理部７５は、液晶ライトバルブ４０Ｒ，４０Ｇ，４０Ｂの画素領域４１Ａ内に、形成領域４１Ｅのサイズや形状、位置を定めた後、入力した画像データに対して間引き処理や補完処理を行って、形成領域４１Ｅの各画素４１Ｐに対応する階調値を生成する。また、画像の形成に寄与しない無効領域４１Ｎ（画素領域４１Ａ内で形成領域４１Ｅ以外の領域）の画素４１Ｐの階調値を０（透過率が最小となる値）として、画素領域４１Ａ内の全画素４１Ｐの階調値からなる画像データを生成し、生成した画像データをＯＳＤ処理部７６に出力する。
【００５３】
ＯＳＤ処理部７６は、制御部７０の指示により、メニュー画像やメッセージ画像等からなるＯＳＤ画像を、画像データに応じた画像（以下、「表示画像」という。）に重畳するための処理を行う。具体的には、ＯＳＤ画像を表すＯＳＤ画像データを図示しないＯＳＤメモリから読み出し、画像処理部７５から入力した画像データにこのＯＳＤ画像データを合成した画像データを生成し、ライトバルブ駆動部７７に出力する。なお、ＯＳＤ画像を表示しない場合には、上記合成処理を行わないため、画像処理部７５から出力される表示画像データが、そのままライトバルブ駆動部７７に供給される。
【００５４】
ライトバルブ駆動部７７は、ＯＳＤ処理部７６から入力した画像データに基づいて、液晶ライトバルブ４０Ｒ，４０Ｇ，４０Ｂを駆動する。即ち、画素領域４１Ａの各画素４１Ｐに、それぞれの階調値に応じた駆動電圧を印加することにより、液晶ライトバルブ４０Ｒ，４０Ｇ，４０Ｂの形成領域４１Ｅに画像を形成し、この液晶ライトバルブ４０Ｒ，４０Ｇ，４０Ｂに光源の光が照射されると、スクリーンＳＣ上に投写画像が表示される。
【００５５】
図６（ａ）、（ｂ）は、スクリーンＳＣに表示された投写画像を示す正面図であり、（ａ）は、電子ズームの拡縮率が１００％の場合を示し、（ｂ）は、拡縮率が１００％未満の場合を示している。
電子ズームの拡縮率が最大値（１００％）、アスペクト比が４：３、台形歪補正はなしの場合（図４（ａ）参照）には、画素領域４１Ａ全体が形成領域４１Ｅであり、このとき、スクリーンＳＣには、図６（ａ）に示すように、画素領域４１Ａを透過した光の照射領域（以下、「投写領域ＧＡ」という。）の全体に表示画像ＧＥが表示される。また、電子ズームの拡縮率が最大値未満の場合（図４（ｂ）参照）には、図６（ｂ）に示すように、投写領域ＧＡよりも小さなサイズで表示画像ＧＥが表示され、投写領域ＧＡ内で表示画像ＧＥの外側の領域ＧＮは、画素４１Ｐの透過率が最小に設定された無効領域４１Ｎに対応する領域であるため、ほとんど光が照射されない黒色領域となる。
【００５６】
なお、上述した、電子ズーム機能、アスペクト比変更機能、台形歪補正機能は、いずれも、ユーザが操作部７２を操作して指示することにより実行可能になっている。
【００５７】
次に、プロジェクタ１の動作について、図面を参照して説明する。本実施形態のプロジェクタ１は、操作部７２からの操作信号に基づいて、電子ズーム、アスペクト比変更、台形歪補正等、形成領域４１Ｅを変更する動作を行った結果、形成領域４１Ｅが移動可能な状態である場合に、形成領域４１Ｅ、即ち表示画像ＧＥが移動可能である旨を通知してユーザに移動方向の入力を促す。さらに、この通知に応じて、ユーザが移動方向を指示すると、プロジェクタ１は、指示された方向に形成領域を移動させることにより表示画像ＧＥの投写位置変更（以下、「画像シフト」という。）を行う。
【００５８】
図７は、プロジェクタ１が電子ズーム機能を実行する際の動作を説明するフローチャートである。また、図８（ａ）、（ｂ）及び図９（ａ）、（ｂ）は、電子ズーム機能を実行する際に表示される投写画像を示す説明図である。プロジェクタ１が、例えば、画素領域４１Ａ全体で光学像を投写中、ユーザが操作部７２を操作して、電子ズームを行う指示をすると、制御部７０は、操作部７２からの制御信号によりその旨を認識し、図７に示したフローに従って動作する。
【００５９】
図７に示すように、ステップＳ１１０では、ユーザの指示に応じた電子ズーム機能を実行する。具体的には、制御部７０は、ＯＳＤ処理部７６に指示をして、図８（ａ）に示すように、電子ズームを行うためのＯＳＤ画像ＧＺを表示する。このＯＳＤ画像ＧＺにより、ユーザは、表示画像ＧＥのズーム状態（拡縮率）や、操作部７２に備えられた「ワイド」キー及び「テレ」キーによりズーム状態を変更可能である旨を認識することができる。
【００６０】
ユーザが、前記ＯＳＤ画像ＧＺによる案内に従って、操作部７２の「ワイド」キーや「テレ」キーを用いてズーム操作を行うと、制御部７０は、領域変更部７０ａによって操作内容に応じた電子ズーム情報を画像処理部７５に出力する。画像処理部７５が当該電子ズーム情報に応じて形成領域４１Ｅのサイズを変更することにより、表示画像ＧＥは拡大又は縮小され、例えば、図８（ｂ）に示すように、表示画像ＧＥが投写領域ＧＡに対して縮小されて表示される。ユーザは、表示画像ＧＥが所望のサイズになるまで連続してズーム操作を行うことが可能であるが、所定時間（例えば、３秒程度）ズーム操作のない状態が続くと、制御部７０は、ズーム操作が終了したと判断し、ＯＳＤ画像ＧＺの表示を終了してステップＳ１２０に移行する。
【００６１】
ステップＳ１２０では、制御部７０は、ユーザによるズーム操作後のズーム状態（拡縮率）が１００％か否かを判断する。ここで、拡縮率が１００％の場合には、画素領域４１Ａ全体で画像を形成していることになり、形成領域４１Ｅを移動させることができないため処理を終了する。ズーム操作後の拡縮率が１００％未満の場合、つまり、形成領域４１Ｅが画素領域４１Ａよりも小さい場合には、画素領域４１Ａ内で形成領域４１Ｅが移動可能な状態であるため、ステップＳ１３０に移行して表示画像ＧＥの投写位置を変更するための動作を行う。
【００６２】
ステップＳ１３０では、制御部７０は、ＯＳＤ処理部７６に指示をして、図９（ａ）に示すように、画像シフトをするためのＯＳＤ画像ＧＭを表示する。このＯＳＤ画像ＧＭは、操作部７２に備えられた方向指示キーによって表示画像ＧＥを移動できる旨を通知する内容を含むとともに、投写領域ＧＡに対する表示画像ＧＥのサイズや位置を表す状態図ＧＳを含んでいる。つまり、制御部７０及びＯＳＤ処理部７６は、表示画像ＧＥ、即ち形成領域４１Ｅの位置が変更可能である旨を通知する通知手段として機能し、ユーザは、このＯＳＤ画像ＧＭによって、表示画像ＧＥが移動可能であることを認識することが可能となる。さらに、ＯＳＤ画像ＧＭは、表示画像ＧＥが移動可能な方向を表す８つの矢印ＧＤを有しており、表示画像ＧＥを、矢印ＧＤが指し示す８つの方向のいずれかに移動可能であることを表している。つまり、制御部７０及びＯＳＤ処理部７６は、表示画像ＧＥ、即ち形成領域４１Ｅが移動可能な位置又は方向を通知する案内手段としても機能する。
【００６３】
ステップＳ１４０では、制御部７０は、操作部７２からの操作信号を監視して、ユーザが何らかの操作を行ったか否かを判断する。操作が行われていない場合にはステップＳ１５０に移行し、操作が行われた場合にはステップＳ１７０に移行する。
【００６４】
何の操作も行われず、ステップＳ１５０に移行した場合は、制御部７０は、操作が行われない状態で所定時間（例えば、１０秒）経過したか否かを判断する。所定時間経過していなければステップＳ１４０に戻り、所定時間が経過していればステップＳ１６０に移行する。
【００６５】
何の操作も行われず所定時間が経過して、ステップＳ１６０に移行した場合には、制御部７０は、画像シフト操作が終了したと判断し、ステップＳ１３０で表示したＯＳＤ画像ＧＭを消去して処理を終了する。
【００６６】
ステップＳ１４０において、何らかの操作が行われてステップＳ１７０に移行した場合には、制御部７０は、当該操作が方向指示キーによる操作であるか否かを判断する。方向指示キーによる操作である場合にはステップＳ１８０に移行し、方向指示キー以外の操作である場合には、画像シフト操作が終了したと判断してステップＳ１６０に移行し、ＯＳＤ画像ＧＭを消去した後に処理を終了する。
【００６７】
方向指示キーが操作されてステップＳ１８０に移行した場合には、制御部７０は、方向指示キーによる操作を、表示画像ＧＥの移動方向の指示と判断し、領域移動部７０ｂによって、この移動方向を位置情報として画像処理部７５に出力する。画像処理部７５が、前記位置情報に基づいて、画素領域４１Ａに対する形成領域４１Ｅの位置を変更することにより、表示画像ＧＥの投写位置が変更する。
【００６８】
例えば、ユーザが、方向指示キーにより表示画像ＧＥを左（−Ｘ方向）に移動させる指示を行った場合には、画像処理部７５は、図５（ｄ）に示すように、画素領域４１Ａの左側境界に接するように形成領域４１Ｅの位置を変更する。この結果、図９（ｂ）に示すように、表示画像ＧＥは、投写領域ＧＡの左側境界に接した位置に移動して表示される。
【００６９】
ここで、ユーザは、方向指示キーを連続して操作することにより投写位置を順次変更することが可能であるが、形成領域４１Ｅが画素領域４１Ａの左側境界に接する位置に移動した状態（図５（ｄ）参照）からは、これ以上形成領域４１Ｅを左方向へ移動することはできない。このため、ステップＳ１９０では、移動可能な方向をＯＳＤ画像ＧＭによって明示するために、制御部７０は、ＯＳＤ処理部７６に指示をして表示中のＯＳＤ画像ＧＭの更新を行う。具体的には、制御部７０は、現時点の投写位置を基準にして、移動可能な方向と移動不可能な方向とを判別し、ＯＳＤ処理部７６に通知する。ＯＳＤ処理部７６は、図９（ｂ）に示すように、移動不可能な方向を示す矢印ＧＤの表示色を目立たない色に変更してＯＳＤ画像ＧＭを再表示する。これによりユーザは、現在の投写位置から移動可能な方向を容易に認識することが可能となる。
【００７０】
ステップＳ２００では、制御部７０は、表示画像ＧＥの位置を表す位置情報を記憶部７１に記憶して、ステップＳ１４０に戻り、ユーザの操作を待つ。ここで、再度方向指示キーによる操作があれば、指示に従って表示画像ＧＥを移動させ、他の操作がなされた場合や所定時間操作がない場合には、ＯＳＤ画像ＧＭを消去して処理を終了する。ここで、位置情報を記憶部７１に記憶するようにしているため、プロジェクタ１は、次回起動時に当該位置情報を読み出すことにより、投写位置を再現することが可能となる。
【００７１】
なお、図示は省略しているが、ステップＳ１７０において、ユーザが移動方向として移動不可能な方向を指示する操作を行った場合には、ステップＳ１８０による移動処理を行わずに、ステップＳ１４０に戻る
【００７２】
また、本実施形態では、ステップＳ１１０で電子ズーム機能を実行する際には、表示画像ＧＥの投写位置に応じた拡大や縮小を行うようになっている。
図１０は、表示画像ＧＥの投写位置に応じたズーム動作を説明する説明図であり、スクリーンＳＣ等に投写された表示画像ＧＥの正面図である。
例えば、図１０（ａ）に示すように、表示画像ＧＥが投写領域ＧＡの中央に位置する場合には、投写領域ＧＡの中心点Ｃ１を基準にして表示画像ＧＥの拡大や縮小を行い、図１０（ｂ）に示すように、表示画像ＧＥが投写領域ＧＡの角部に位置する場合には、当該角部の頂点Ｃ２を基準として表示画像ＧＥの拡大や縮小を行う。また、図１０（ｃ）に示すように、表示画像ＧＥの１辺と投写領域ＧＡの１辺とが、互いの中点同士が交わるように接している場合には、前記中点Ｃ３を基準として拡大や縮小を行う。なお、前記各点Ｃ１〜Ｃ３を基準に表示画像ＧＥを拡大し、拡縮率が１００％になった場合でも、その後、縮小する際には、記憶部７１に記憶された位置情報に基づいて前回の基準点Ｃ１〜Ｃ３を再現し、当該基準点を基準に縮小する。
【００７３】
また、本実施形態では、アスペクト比変更や台形歪補正を行う際にも、ＯＳＤ画像ＧＭを表示して、表示画像ＧＥの画像シフトを実行する。ただし、この場合には、拡縮率が１００％の状態でも画像シフトが可能（例えば、図４（ｃ）、（ｄ）に示した状態では、上下方向（±Ｙ方向）に画像シフトが可能）であるため、制御部７０は、アスペクト比変更や台形歪補正を実行した後、形成領域４１Ｅの周囲に存在する無効領域４１Ｎの形状から移動可能な方向を判別し、ステップＳ１３０以降を実行する。
【００７４】
以上説明したように、本実施形態のプロジェクタ１によれば、以下の効果を得ることができる。
【００７５】
（１）本実施形態のプロジェクタ１によれば、画像処理部７５が形成領域４１Ｅのサイズ又は形状を変更した結果、形成領域４１Ｅが画素領域４１Ａ内を移動可能である場合に、操作部７２から移動方向を表す位置情報を入力し、この位置情報に基づいて画像処理部７５が形成領域４１Ｅを移動させている。この結果、ユーザは、操作部７２を操作することによって形成領域４１Ｅ、即ち表示画像ＧＥを移動させることが可能となり、表示画像ＧＥの位置を容易に変更することが可能となる。
【００７６】
（２）本実施形態のプロジェクタ１によれば、画像処理部７５が形成領域４１Ｅのサイズ又は形状を変更した結果、形成領域４１Ｅが画素領域４１Ａ内を移動可能である場合に、ＯＳＤ処理部７６によって、形成領域４１Ｅ、即ち表示画像ＧＥが移動可能である旨を通知するようにしている。このため、ユーザは、表示画像ＧＥが移動可能であることを容易に認識することが可能となる。
【００７７】
（３）本実施形態のプロジェクタ１によれば、画像処理部７５が形成領域４１Ｅのサイズ又は形状を変更した結果、形成領域４１Ｅが画素領域４１Ａ内を移動可能である場合に、ＯＳＤ処理部７６によって通知を行い、移動方向の入力を促している。このため、形成領域４１Ｅのサイズ又は形状の変更と、形成領域４１Ｅの移動とを連続して行うことが可能となり、表示画像ＧＥの位置を変更する際の利便性が向上する。
【００７８】
（４）本実施形態のプロジェクタ１によれば、移動方向の入力を促す際に、形成領域４１Ｅ、即ち表示画像ＧＥが移動可能な方向を、ＯＳＤ画像ＧＭによって通知しているため、ユーザは、移動可能な位置や方向を認識することが容易になり、表示画像ＧＥの位置を変更する際の利便性がさらに向上する。
【００７９】
（５）本実施形態のプロジェクタ１によれば、画像シフトを行う際に、ＯＳＤ処理部７６によって、投写領域ＧＡに対する表示画像ＧＥのサイズや位置を表す状態図ＧＳを表示するようにしているため、画像信号が入力されていない状態のように表示画像ＧＥの全面が黒色の場合でも、投写領域ＧＡに対する表示画像ＧＥの位置関係を認識することが可能となり、画像シフトを行う際の利便性が向上する。
【００８０】
（変形例）
なお、本発明の実施形態は、以下のように変更してもよい。
・前記実施形態では、操作部７２によって移動方向を指示可能になっているが、操作部７２から入力する位置情報としては、移動方向に限られず、例えば、形成領域４１Ｅが位置しうる９ヶ所のうちのいずれか１つを直接指定可能にしてもよい。
【００８１】
・前記実施形態では、形成領域４１Ｅは、画素領域４１Ａ内の９ヶ所のうちのいずれか１ヶ所を選択的に移動可能になっているが、形成領域の移動方法は前記に限定されず、例えば、１画素ずつ或いは所定の画素数ずつ移動可能としてもよい。これにより、表示画像ＧＥの位置をよりきめ細かに調整することが可能となる。
【００８２】
・前記実施形態では、電子ズームやアスペクト比変更、台形歪補正を実行した後に、画像シフトを実行可能としているが、画像シフトの実行タイミングは前記に限定されず、例えば、ユーザが操作部７２を操作することにより、所望のタイミングでステップＳ１３０以降を実行できるようにしてもよい。
【００８３】
・前記実施形態では、電子ズーム機能、アスペクト比変更機能、台形歪補正機能は、いずれも、ユーザが操作部７２を操作して指示することにより実行可能になっているが、例えば、入力した画像信号のアスペクト比を認識可能なアスペクト比認識手段を備え、画像信号の入力と連動して投写画像のアスペクト比変更を実行可能な構成としてもよい。また、プロジェクタの傾きを検知可能な傾き検知手段や、投写画像の形状を認識可能な台形歪検知手段を備え、これらの検知動作と連動して台形歪補正を実行する構成としてもよい。
さらに、上記のようにアスペクト比の変更や台形歪補正を実行した結果、形成領域４１Ｅが画素領域４１Ａ内を移動可能である場合に、ステップＳ１３０以降を実施するようにしてもよい。
【００８４】
・前記実施形態では、表示画像ＧＥ（形成領域４１Ｅ）が移動可能である旨の通知、及び、移動可能な方向の通知に、ＯＳＤ画像ＧＭを用いているが、これに限られず、これらの通知が可能な表示装置等をプロジェクタ１に備えるようにしてもよい。或いは、音声によって通知するようにしてもよい。
【００８５】
・前記実施形態では、光変調装置として、透過型の液晶ライトバルブ４０Ｒ，４０Ｇ，４０Ｂを用いているが、反射型の光変調装置であるＬＣＯＳ（Liquid Crystal On Silicon）等を用いることも可能である。また、入射した光の射出方向を、画素としてのマイクロミラー毎に制御することにより、光源から射出した光を変調するＤＭＤ（テキサスインスツルメンツ社の登録商標）（デジタル・マイクロミラー・デバイス）等を用いることもできる。
【図面の簡単な説明】
【００８６】
【図１】実施形態に係るプロジェクタの概略構成を示すブロック図。
【図２】光学装置の詳細を説明するための構成図。
【図３】液晶ライトバルブの平面図。
【図４】（ａ）〜（ｅ）は、画像処理部での処理を説明するための説明図であり、サイズ情報に応じた処理を説明する図。
【図５】（ａ）〜（ｉ）は、画像処理部での処理を説明するための説明図であり、位置情報に応じた処理を説明する図。
【図６】スクリーンに表示された投写画像を示す正面図であり、（ａ）は、電子ズームの拡縮率が１００％の場合を示す図、（ｂ）は、拡縮率が１００％未満の場合を示す図。
【図７】電子ズーム機能を実行する際の動作を説明するフローチャート。
【図８】（ａ）、（ｂ）は、電子ズーム機能を実行する際に表示される投写画像を示す説明図。
【図９】（ａ）、（ｂ）は、電子ズーム機能を実行する際に表示される投写画像を示す説明図。
【図１０】表示画像の投写位置に応じたズーム動作を説明する説明図。
【符号の説明】
【００８７】
１…プロジェクタ、２…光学装置、３…制御装置、１０…照明光学系、１１…光源、１２…第１のレンズアレイ、１３…第２のレンズアレイ、１４…偏光変換素子、１５…重畳レンズ、２０…色光分離光学系、２１…ダイクロイックミラー、２２…反射ミラー、２３…ダイクロイックミラー、３０…リレー光学系、３１…入射側レンズ、３２…反射ミラー、３３…リレーレンズ、３４…反射ミラー、３５…射出側レンズ、４０Ｒ，４０Ｇ，４０Ｂ…液晶ライトバルブ、４１…液晶パネル、４１Ａ…画素領域、４１Ｅ…形成領域、４１Ｎ…無効領域、４１Ｐ…画素、４２…入射側偏光板、４３…射出側偏光板、５０…クロスダイクロイックプリズム、６０…投写レンズ、７０…制御部、７０ａ…領域変更部、７０ｂ…領域移動部、７１…記憶部、７２…操作部、７３…レシーバ、７４…画質調整部、７５…画像処理部、７６…ＯＳＤ処理部、７７…ライトバルブ駆動部、ＧＡ…投写領域、ＧＥ…表示画像、ＧＺ，ＧＭ…ＯＳＤ画像、ＧＳ…状態図、ＧＤ…矢印。
【図１】
2006246306.tif 000003
【図２】
2006246306.tif 000004
【図３】
2006246306.tif 000005
【図４】
2006246306.tif 000006
【図５】
2006246306.tif 000007
【図６】
2006246306.tif 000008
【図７】
2006246306.tif 000009
【図８】
2006246306.tif 000010
【図９】
2006246306.tif 000011
【図１０】
2006246306.tif 000012